【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
下記式：
【化１】
2006526670.tif 000001
〔式中、
Ａ及びＢは、ポリマー鎖末端基を表し；
Ｒ1、Ｒ1′及びＲ1″は、互いに独立して、水素又はＣ1〜Ｃ4アルキルを表し；
Ｒ2は、水素又はより高い極性のエステル基を表し；
Ｒ3は、より低い極性のエステル基を表し；
Ｙは、直接結合又は二価基を表し；
Ｚは、光保護特性を有する作用物質の機能有効基を表し；
数字Ｉ、ＩＩ、ＩＩＩは、任意の順序での個別のポリマーブロックを表し；
指数ｐ、ｑ及びｒは、重合体におけるポリマーブロックＩ、ＩＩ及びＩＩＩの数を表し、ここで、指数ｐ及びｑのうちの一方は、互いに独立して、０、１、又は１を超える数字を表し、他方は１又は１を超える数字を表し、ｒは１又は１を超える数字を表し；そして
指数ｘ、ｙ及びｚは、個別のポリマーブロックＩ、ＩＩ及びＩＩＩに存在するモノマー単位の数を規定する〕
で示される重合体。
【請求項２】
下記式：
【化２】
2006526670.tif 000002
〔式中、
Ａ1は、重合開始剤のフラグメントを表し；
Ｂ*は、重合性のエチレン性不飽和末端基を表し；そして
Ｒ1、Ｒ1′、Ｒ1″、Ｒ2、Ｒ3、Ｙ、Ｚ、数字Ｉ、ＩＩ及びＩＩＩ、並びに指数ｐ、ｑ、ｒ、ｘ、ｙ及びｚは、請求項１と同義である〕
で示される、請求項１に記載の重合体。
【請求項３】
下記式：
【化３】
2006526670.tif 000003
〔式中、
Ａ1は、重合開始剤のフラグメントを表し；
Ｒ1、Ｒ1′、Ｒ1″、Ｒ2、Ｒ3、Ｙ、Ｚ、数字Ｉ、ＩＩ及びＩＩＩ、並びに指数ｐ、ｑ、ｒ、ｘ、ｙ及びｚは、請求項１と同義であり；そして
Ｂ2は、下記の部分式：
【化４】
2006526670.tif 000004
（式中、
Ａ2は、ポリマー鎖末端基を表し；
Ｒ1、Ｒ1′、Ｒ1″、Ｒ2、Ｒ3、Ｙ及びＺは、請求項１と同義であり；
数字Ｉ′、ＩＩ′及びＩＩＩ′は、任意の順序での個別のポリマーブロックを表し；
指数ｐ、ｑ及びｒは、重合体におけるポリマーブロックＩ′、ＩＩ′及びＩＩＩ′の数を表し、ここで、
指数ｐ、ｑ及びｒのうちの１つは、互いに独立して、１又は１を超える数字を表し；
他は、０、１又は１を超える数字を表し；そして
指数ｘ、ｙ及びｚは、個別のポリマーブロックＩ′、ＩＩ′及びＩＩＩ′に存在するモノマー単位の数を規定する）で示されるポリマー基を表す〕
で示される、請求項１に記載のクシ型ポリマー。
【請求項４】
Ａ及びＢが、ポリマー鎖末端基を表し；
Ｒ1、Ｒ1′及びＲ1″が、互いに独立して、水素又はメチルを表し；
Ｒ2が、モノ−又はジヒドロキシ−Ｃ2〜Ｃ4アルキル、アミノ−Ｃ2〜Ｃ18アルキル、アンモニオ−Ｃ2〜Ｃ18アルキル、Ｃ1〜Ｃ4アルキルアミノ−Ｃ2〜Ｃ18アルキル、ジ−Ｃ1〜Ｃ4アルキルアミノ−Ｃ2〜Ｃ18アルキル、トリ−Ｃ1〜Ｃ4アルキルアンモニオ−Ｃ2〜Ｃ18アルキル、ヒドロキシ−Ｃ2〜Ｃ4アルキルアミノ−Ｃ2〜Ｃ18アルキル、Ｃ1〜Ｃ4アルキル−（ヒドロキシ−Ｃ2〜Ｃ4アルキル）アミノ−Ｃ2〜Ｃ18アルキル、ジ−Ｃ1〜Ｃ4アルキル−（ヒドロキシ−Ｃ2〜Ｃ4アルキル）アンモニオ−Ｃ2〜Ｃ18アルキル、及びＣ1〜Ｃ4アルキル（カルボキシ、スルホ又はホスホノで置換されている）からなる群より選択されるエステル基を表し；
Ｒ3が、Ｃ1〜Ｃ8アルキル、例えば、メチル、エチル、イソプロピル、ｎ−ブチル又は２−エチルヘキシルを表し；
Ｙが、直接結合又は二価基を表し；
Ｚが、光保護特性を有する作用物質の機能有効基を表し；
指数ｐ及びｘが、０を表し；そして
数字ＩＩ及びＩＩＩ、並びに指数ｑ、ｒ、ｙ及びｚが、請求項１と同義である
請求項１に記載の重合体（Ｉ）。
【請求項５】
Ａ及びＢが、ポリマー鎖末端基を表し；
Ｒ1、Ｒ1′及びＲ1″が、互いに独立して、水素又はメチルを表し；
Ｒ2が、アミノ、アンモニオ、Ｃ1〜Ｃ4アルキルアミノ、ジ−Ｃ1〜Ｃ4アルキルアミノ、トリ−Ｃ1〜Ｃ4アルキルアンモニオ又はジ−Ｃ1〜Ｃ4アルキル−２−ヒドロキシエチルアンモニオで置換されているＣ2〜Ｃ4アルキルからなる群より選択されるエステル基を表し；
Ｒ3が、Ｃ1〜Ｃ8アルキルを表し；
Ｙが、直接結合又は二価基を表し；
Ｚが、光保護特性を有する作用物質の機能有効基を表し；
指数ｐ及びｘが、０を表し；
指数ｑ及びｒが、１を表し；
指数ｙ及びｚが、１を超える数字を表し；そして
数字ＩＩ及びＩＩＩが、請求項１と同義である、
請求項１に記載の重合体（Ｉ）。
【請求項６】
光保護特性を有する作用物質の機能有効基Ｚが、ＵＶ光吸収剤、ラジカルスカベンジャー、一重項酸素クエンチ剤、三重項クエンチ剤、光安定剤及びスーパーオキシドアニオンクエンチ剤からなる群より選択される光保護剤に由来する構造部分である、請求項１に記載の重合体（Ｉ）。
【請求項７】
ＵＶ光吸収剤部分Ｚが、２−（２−ヒドロキシフェニル）−１，３，５−トリアジン（ＨＰＴ）類、２−（２′−ヒドロキシフェニル）ベンゾトリアゾール（ＨＢＺ）類、２−ヒドロキシベンゾフェノン（ＨＢＰ）類及びオキサニリド（ＯＡ）類からなる群より選択されるＵＶ吸収剤に由来する置換基である、請求項１に記載の重合体（Ｉ）。
【請求項８】
下記式：
【化５】
2006526670.tif 000005
〔式中、
Ｘは、カルボキシ、スルホ又はホスホノを表し；そして
Ｒa、Ｒb、Ｒc及びＲdは、互いに独立して、水素、ハロゲン、Ｃ1〜Ｃ4アルキル又はＣ1〜Ｃ4アルコキシを表す〕
で示される化合物。
【請求項９】
下記式：
【化６】
2006526670.tif 000006
〔式中、
Ｘは、−Ｃ（＝Ｏ）−ＮＨ−、−ＣＨ2−Ｏ−、−Ｏ−、−ＮＨ−及び−Ｎ（Ｃ1〜Ｃ4アルキル）−からなる群より選択される二価官能基を表し；そして、
Ｙは、Ｃ1〜Ｃ4アルキル、ヒドロキシ−Ｃ2〜Ｃ4アルキル、アミノ−Ｃ2〜Ｃ4アルキル、アクリロイル又はメタクリロイルを表す〕
で示される化合物。
【請求項１０】
下記：
ａ）光、熱又は酸化により誘導される劣化を受けやすい物質の組成物；及び
ｂ）Ａ、Ｂ、Ｒ1、Ｒ1′、Ｒ1″、Ｒ2、Ｒ3、Ｙ、Ｚ、数字Ｉ、ＩＩ及びＩＩＩ、並びに指数ｐ、ｑ、ｒ、ｘ、ｙ及びｚが、請求項１と同義である重合体（Ｉ）
を含有する組成物。
【請求項１１】
下記：
ａ′）０．１〜９９．９重量％の分散性の有機又は無機顔料粒子；及び
ｂ′）０．１〜９９．９重量％の重合体（Ｉ）（Ａ、Ｂ、Ｒ1、Ｒ1′、Ｒ1″、Ｒ2、Ｒ3、Ｙ、Ｚ、数字Ｉ、ＩＩ及びＩＩＩ、並びに指数ｐ、ｑ、ｒ、ｘ、ｙ及びｚが、請求項１と同義である）
を含む顔料組成物。
【請求項１２】
界面活性剤、光安定剤、ＵＶ吸収剤、消泡剤、分散安定剤、染料、可塑剤、チキソトロピー剤、乾燥触媒、皮張り防止剤及び均染剤からなる群より選択される添加剤をさらに含有する、請求項１１記載の組成物。
【請求項１３】
下記：
ａ″）分散した有機又は無機顔料粒子；及び
ｂ″）Ａ、Ｂ、Ｒ1、Ｒ1′、Ｒ1″、Ｒ2、Ｒ3、Ｙ、Ｚ、数字Ｉ、ＩＩ及びＩＩＩ、並びに指数ｐ、ｑ、ｒ、ｘ、ｙ及びｚが、請求項１と同義である重合体（Ｉ）を少なくとも１種含有する分散剤；並びに
水、有機溶媒及びそれらの混合物を包含するキャリア液体
を含む顔料分散体。
【請求項１４】
インキ組成物又はカラーフィルタを製造するための、請求項１３に記載の顔料分散体の使用。
【請求項１５】
被覆組成物、プリント、画像、インキ、ラッカー、着色プラスチック、接着剤、注型用樹脂、充填複合材料、ガラス繊維補強複合材料、積層物、プラスターのようなセメント製建築材料及びタイル用接着剤を製造するための、請求項１３に記載の顔料分散体の使用。